(57)【要約】【課題】番号キーが操作されたときに、ユーザの視聴に供する放送として、当該番号キーに割り当てられた複数の放送のうちで、最もユーザの嗜好に合致するとより高い蓋然性をもって推定される放送を選定する「放送受信機」を提供する。【解決手段】一つの番号キーに対して登録されている各編成チャネルの放送局のこれまでの視聴時間を調べ、視聴時間がより大きい放送局の編成チャネルほど、枝番がより小さくなるように各編成チャネルに対して枝番を与える。番号キーが操作されたならば、当該番号キーに対して登録されている最小の枝番の編成チャネルを、受信対象とする編成チャネルとして選定する。同じ番号キーが繰り返し操作された場合には、受信対象とする編成チャネルを、操作の度に、当該番号キーに対して登録されている各編成チャネルの間で枝番の順序に従って順次切り替える。【選択図】図１
2009071660.tif 000002
【特許請求の範囲】
【請求項１】
複数の放送であって、当該放送の選択の受付に用いるべきキーの番号の指定を各々伴う複数の放送を受信する放送受信機であって、
ユーザの各放送の視聴時間を、放送局毎に管理する視聴時間管理手段と、
受信可能な放送を探索し、探索した放送を当該放送が指定するキーの番号と対応づけて管理するキー番号管理手段と、
前記キー番号管理手段によって同じキーの番号と対応づけて管理されている複数の放送各々の評価基準時間を、当該放送の放送局について前記視聴時間管理手段が管理している視聴時間として、当該複数の放送を前記評価基準時間が最大の放送が先頭の放送局となるように順序付ける順序付手段と、
ユーザのキー操作が発生したときに、操作されたキーの番号に対応づけて前記キー番号管理手段によって管理されている放送のうち、前記順序付手段が順序付けた順序上先頭の放送を、前記ユーザの視聴に供する放送として選定する放送選定手段とを有することを特徴とする放送受信機。
【請求項２】
複数の放送であって、当該放送の選択の受付に用いるべきキーの番号の指定を各々伴う複数の放送を受信する放送受信機であって、
ユーザの放送の視聴時間を、当該放送の放送局の番組供給系列毎に管理する視聴時間管理手段と、
受信可能な放送を探索し、探索した放送を当該放送が指定するキーの番号と対応づけて管理するキー番号管理手段と、
前記キー番号管理手段によって同じキーの番号と対応づけて管理されている複数の放送各々の評価基準時間を、当該放送の放送局の番組供給系列について前記視聴時間管理手段が管理している視聴時間として、当該複数の放送を前記評価基準時間が最大の放送が先頭の放送局となるように順序付ける順序付手段と、
ユーザのキー操作が発生したときに、操作されたキーの番号に対応づけて前記キー番号管理手段によって管理されている放送のうち、前記順序付手段が順序付けた順序上先頭の放送を、前記ユーザの視聴に供する放送として選定する放送選定手段とを有することを特徴とする放送受信機。
【請求項３】
複数の放送であって、当該放送の選択の受付に用いるべきキーの番号の指定を各々伴う複数の放送を受信する放送受信機であって、
ユーザの放送の視聴時間を、当該放送が指定するキーの番号と当該放送の放送局の番組供給系列との組み合わせ毎に管理する視聴時間管理手段と、
受信可能な放送を探索し、探索した放送を当該放送が指定するキーの番号と対応づけて管理するキー番号管理手段と、
前記キー番号管理手段によって同じキーの番号と対応づけて管理されている複数の放送各々の評価基準時間を、当該放送が指定するキーの番号と当該放送の放送局の番組供給系列の組み合わせについて前記視聴時間管理手段が管理している視聴時間として、当該複数の放送を前記評価基準時間が最大の放送が先頭の放送局となるように順序付ける順序付手段と、
ユーザのキー操作が発生したときに、操作されたキーの番号に対応づけて前記キー番号管理手段によって管理されている放送のうち、前記順序付手段が順序付けた順序上先頭の放送を、前記ユーザの視聴に供する放送として選定する放送選定手段とを有することを特徴とする放送受信機。
【請求項４】
複数の放送であって、当該放送の選択の受付に用いるべきキーの番号の指定を各々伴う複数の放送を受信する放送受信機であって、
ユーザの放送の視聴時間を、番組内容のジャンル毎に管理する視聴時間管理手段と、
受信可能な放送を探索し、探索した放送を当該放送が指定するキーの番号と対応づけて管理するキー番号管理手段と、
前記キー番号管理手段によって同じキーの番号と対応づけて管理されている複数の放送各々の評価基準時間を、当該放送で放送中の番組のジャンルについて前記視聴時間管理手段が管理している視聴時間として、当該複数の放送を前記評価基準時間が最大の放送が先頭の放送局となるように順序付ける順序付手段と、
ユーザのキー操作が発生したときに、操作されたキーの番号に対応づけて前記キー番号管理手段によって管理されている放送のうち、前記順序付手段が順序付けた順序上先頭の放送を、前記ユーザの視聴に供する放送として選定する放送選定手段とを有することを特徴とする放送受信機。
【請求項５】
請求項１、２、３または４記載の放送受信機であって、
前記順序付手段は、前記キー番号管理手段によって同じキーの番号と対応づけて管理されている複数の放送を、前記評価基準時間の大きい順に順序付け、
前記放送選定手段は、ユーザの所定の同キー番号内選局切替操作が発生したときに、前記ユーザの視聴に供する放送として選定中の放送と同じキーの番号に対応づけて前記キー番号管理手段によって管理されている放送が複数存在する場合には、当該存在した複数の放送を、当該同キー番号内選局切替操作の度に順次、前記順序付手段が順序付けた順序に従って、前記ユーザの視聴に供する放送として選定することを特徴とする放送受信機。
【発明の詳細な説明】
【技術分野】
【０００１】
本発明は、放送受信機において、ユーザ操作に応じて、ユーザの視聴に供する放送を選定する技術に関するものである。
【背景技術】
【０００２】
放送受信機において、ユーザ操作に応じて、ユーザの視聴に供する放送を選定する技術としては、たとえば地上デジタルテレビジョン放送を受信する放送受信機において、予め受信可能な放送を調査し、視聴する放送の選定を受け付けるためのキーを、１から１２までの番号キーのうちの、当該放送で受信するRemote_Control_Key_IDで指定された番号キーに割り当てる技術が知られている（たとえば、特許文献１）。
【０００３】
この技術では、Remote_Control_Key_IDが同じ複数の放送を受信可能な場合には、同じ番号キーに当該複数の放送を割り当て、ユーザによって当該番号キーが繰り返し操作された場合には、操作の度に受信する放送を、当該番号キーに割り当てた放送の間で順次切り替える。また、この技術では、当該番号キーに割り当てられた放送以外の放送を受信している状態において、当該番号キーが操作されたときには、当該番号キーの過去最後の操作に応じて受信した放送の受信を行うように構成されている。
【特許文献１】特開2005-348010号公報
【発明の開示】
【発明が解決しようとする課題】
【０００４】
さて、上述のように同じ複数の放送を同じ番号キーに割り当てた場合において、当該番号キーに割り当てられた放送以外の放送を受信している状態において当該番号キーが操作されたときに受信するようにする放送は、当該番号キーに割り当てられた複数の放送のうちで、最もユーザの嗜好に合致する放送であることが望ましい。
【０００５】
しかしながら、前記特許文献１のように、番号キーの操作に応じて、当該番号キーの過去最後の操作に応じて受信した放送の受信を行ったのでは、必ずしも、受信する放送をユーザの嗜好に合致する放送とすることはできない。当該過去最後の操作に応じて受信した放送の当該過去の時点における内容がユーザの嗜好に合致していたことをもって、当該放送の現在の内容もユーザの嗜好に合致していると考えることはできないからである。
【０００６】
そこで、本発明は、複数の放送を同じ番号キーに割り当てた場合において、当該番号キーに割り当てられた放送以外の放送を受信している状態において当該番号キーが操作されたときに、ユーザの視聴に供する放送として、当該番号キーに割り当てられた複数の放送のうちで、ユーザの嗜好に合致する蓋然性のより大きい放送を選定することを課題とする。
【課題を解決するための手段】
【０００７】
前記課題達成のために、本発明は、複数の放送であって、当該放送の選択の受付に用いるべきキーの番号の指定を各々伴う複数の放送を受信する放送受信機に、ユーザの各放送の視聴時間を、放送局毎に管理する視聴時間管理手段と、受信可能な放送を探索し、探索した放送を当該放送が指定するキーの番号と対応づけて管理するキー番号管理手段と、前記キー番号管理手段によって同じキーの番号と対応づけて管理されている複数の放送各々の評価基準時間を、当該放送の放送局について前記視聴時間管理手段が管理している視聴時間として、当該複数の放送を前記評価基準時間が最大の放送が先頭の放送局となるように順序付ける順序付手段と、ユーザのキー操作が発生したときに、操作されたキーの番号に対応づけて前記キー番号管理手段によって管理されている放送のうち、前記順序付手段が順序付けた順序上先頭の放送を、前記ユーザの視聴に供する放送として選定する放送選定手段とを備えたものである。
【０００８】
このような放送受信機によれば、複数の放送を同じ番号のキーに割り当てた場合において、当該番号のキーが操作されたときに、ユーザの視聴に供する放送として、当該キーの番号に割り当てられた複数の放送のうちで、ユーザが最も頻繁に視聴している放送局の放送をユーザの視聴に供する放送として選定する。ここで、ユーザが最も頻繁に視聴している放送局は、その放送内容がユーザの嗜好に合致している蓋然性が大きいので、本放送受信機によればユーザの視聴に供する放送として、ユーザの嗜好に合致する蓋然性の大きい放送を選定することができる。
【０００９】
また、本発明は、前記課題達成のために、複数の放送であって、当該放送の選択の受付に用いるべきキーの番号の指定を各々伴う複数の放送を受信する放送受信機に、ユーザの放送の視聴時間を、当該放送の放送局の番組供給系列毎に管理する視聴時間管理手段と、受信可能な放送を探索し、探索した放送を当該放送が指定するキーの番号と対応づけて管理するキー番号管理手段と、前記キー番号管理手段によって同じキーの番号と対応づけて管理されている複数の放送各々の評価基準時間を、当該放送の放送局の番組供給系列について前記視聴時間管理手段が管理している視聴時間として、当該複数の放送を前記評価基準時間が最大の放送が先頭の放送局となるように順序付ける順序付手段と、ユーザのキー操作が発生したときに、操作されたキーの番号に対応づけて前記キー番号管理手段によって管理されている放送のうち、前記順序付手段が順序付けた順序上先頭の放送を、前記ユーザの視聴に供する放送として選定する放送選定手段とを備えたものである。
【００１０】
このような放送受信機によれば、複数の放送を同じ番号のキーに割り当てた場合において、当該番号のキーが操作されたときに、ユーザの視聴に供する放送として、当該キーの番号に割り当てられた複数の放送のうちで、ユーザが最も頻繁に視聴している番組提供系列の放送局の放送をユーザの視聴に供する放送として選定する。ここで、同じ番組提供系列の放送内容は番組の同一性が高いので、このようにしても、ユーザの視聴に供する放送として、ユーザの嗜好に合致する蓋然性の大きい放送を選定することができる。
【００１１】
また、前記課題達成のために、本発明は、複数の放送であって、当該放送の選択の受付に用いるべきキーの番号の指定を各々伴う複数の放送を受信する放送受信機に、ユーザの放送の視聴時間を、当該放送が指定するキーの番号と当該放送の放送局の番組供給系列との組み合わせ毎に管理する視聴時間管理手段と、受信可能な放送を探索し、探索した放送を当該放送が指定するキーの番号と対応づけて管理するキー番号管理手段と、前記キー番号管理手段によって同じキーの番号と対応づけて管理されている複数の放送各々の評価基準時間を、当該放送が指定するキーの番号と当該放送の放送局の番組供給系列の組み合わせについて前記視聴時間管理手段が管理している視聴時間として、当該複数の放送を前記評価基準時間が最大の放送が先頭の放送局となるように順序付ける順序付手段と、ユーザのキー操作が発生したときに、操作されたキーの番号に対応づけて前記キー番号管理手段によって管理されている放送のうち、前記順序付手段が順序付けた順序上先頭の放送を、前記ユーザの視聴に供する放送として選定する放送選定手段とを備えたものである。
【００１２】
このような放送受信機によれば、ユーザの視聴に供する放送として、ユーザの嗜好に合致する蓋然性の大きい放送を選定するようにしつつ、同じ番組提供系列の放送局の相互に異なるキーの番号を指定する複数の放送を受信できる場合に、異なる番号のキー操作に対して、同じ番組提供系列の放送が重複して選定されてしまうことを抑制することができる。
【００１３】
また、前記課題達成のために、本発明は、複数の放送であって、当該放送の選択の受付に用いるべきキーの番号の指定を各々伴う複数の放送を受信する放送受信機に、ユーザの放送の視聴時間を、番組内容のジャンル毎に管理する視聴時間管理手段と、受信可能な放送を探索し、探索した放送を当該放送が指定するキーの番号と対応づけて管理するキー番号管理手段と、前記キー番号管理手段によって同じキーの番号と対応づけて管理されている複数の放送各々の評価基準時間を、当該放送で放送中の番組のジャンルについて前記視聴時間管理手段が管理している視聴時間として、当該複数の放送を前記評価基準時間が最大の放送が先頭の放送局となるように順序付ける順序付手段と、ユーザのキー操作が発生したときに、操作されたキーの番号に対応づけて前記キー番号管理手段によって管理されている放送のうち、前記順序付手段が順序付けた順序上先頭の放送を、前記ユーザの視聴に供する放送として選定する放送選定手段とを備えたものである。
【００１４】
このような放送受信機によれば、複数の放送を同じ番号のキーに割り当てた場合において、当該番号のキーが操作されたときに、ユーザの視聴に供する放送として、当該キーの番号に割り当てられた複数の放送のうちで、ユーザが最も頻繁に視聴しているジャンルの番組を放送中の放送を、ユーザの視聴に供する放送として選定する。したがって、ユーザの視聴に供する放送として、ユーザの嗜好に合致する蓋然性の大きい放送を選定することができる。
【００１５】
ここで、以上の各放送受信機は、前記順序付手段において、前記キー番号管理手段によって同じキーの番号と対応づけて管理されている複数の放送を、前記評価基準時間の大きい順に順序付け、前記放送選定手段において、ユーザの所定の同キー番号内選局切替操作が発生したときに、前記ユーザの視聴に供する放送として選定中の放送と同じキーの番号に対応づけて前記キー番号管理手段によって管理されている放送が複数存在する場合には、当該存在した複数の放送を、当該同キー番号内選局切替操作の度に順次、前記順序付手段が順序付けた順序に従って、前記ユーザの視聴に供する放送として選定するように構成してもよい。
【発明の効果】
【００１６】
以上のように、本発明によれば、複数の放送を同じ番号キーに割り当てた場合において、当該番号キーに割り当てられた放送以外の放送を受信している状態において当該番号キーが操作されたときに、ユーザの視聴に供する放送として、当該番号キーに割り当てられた複数の放送のうちで、ユーザの嗜好に合致する蓋然性のより大きい放送を選定することができる。
【発明を実施するための最良の形態】
【００１７】
以下、本発明の実施形態について自動車に搭載され、地上波デジタルＴＶ放送を受信する放送受信機への適用を例にとり説明する。
図１に、本実施形態に係る放送受信機の構成を示す。
図示するように、放送受信機は、アンテナ１、フロントエンド部（ＦＥ）２、復調部３、ＭＰＥＧデコーダ４、表示装置５、アンプやスピーカなどを備えた音声出力装置６、制御部７、メモリ８、１から１２までのリモートコントロール番号が各々与えられた１２個の番号キーを有するリモートコントローラ９とを備えている。
【００１８】
このような構成において、フロントエンド部２は、制御部７から受信チャネルとして指定された周波数チャネルを受信し、受信信号を復調部３に出力する。復調部３は、入力する受信信号に対してOFDM復調やビタビ復号などの復調／復号処理を行ってＭＰＥＧ２  ＴＳ（Transport Stream）を復元し、ＭＰＥＧデコーダ４に送る。ＭＰＥＧデコーダ４は、ＭＰＥＧ２  ＴＳの制御部７から指定された編成チャネル（プログラム)をデコードする。そして、デコードした映像信号を表示装置５に出力し、デコードした音声信号を音声出力装置６に出力し、デコードした各種制御情報を制御部７に出力する。
【００１９】
また、復調部３は、フロントエンド部２の受信電界強度などを参照して、受信信号の受信品質を測定し制御部７に通知する。
次に、本実施形態においてメモリ８に格納するプリセットテーブルについて説明する。
図２ａに示すように、プリセットテーブルは、１から１２までのリモートコントロール番号が各々登録された１２のエントリを有し、リモートコントロール番号がｎのエントリには、現時点で受信可能な周波数チャネルのうちの、Remote_Control_Key_IDがｎの周波数チャネルの放送局の識別子（放送局名やＮＩＤ：Network_identification等)と、当該周波数チャネルに含まれる各編成チャネルに割り当てた３桁チャネル番号が登録される。
【００２０】
ここで、このプリセットテーブルは、制御部７が、所定時間間隔（たとえば、１０分）毎に実行するチャネルスキャン処理によって内容が更新される。
すなわち、制御部７は、チャネルスキャン処理において、フロントエンド部２を制御して、受信可能な周波数チャネルを探索し、探索した各周波数チャネルから、当該周波数チャネルのRemote_Control_Key_IDと放送局と編成チャネルの情報を受信する。なお、ここで受信する編成チャネルの情報には、編成チャネルのサービスタイプ（テレビジョン/データ放送/部分受信：ワンセグ）と、編成チャネルのサービス番号も含まれる。
【００２１】
そして、プリセットテーブルの各エントリの内容をクリアした上で、探索した周波数チャネル毎に、プリセットテーブルの、当該周波数チャネルで識別したRemote_Control_Key_IDと同じ値のエントリに、当該周波数チャネルの放送局と、当該周波数チャネルの編成チャネルに割り当てた３桁チャネル番号を登録する。
【００２２】
また、このとき、制御部７は、３桁チャネル番号を割り当てた各編成チャネルにアクセスするために必要となる、当該編成チャネルの周波数チャネルその他の各種情報を編成チャネルアクセス情報として別途メモリに登録する。
ここで、各編成チャネルの３桁チャネル番号は、
編成チャネルのサービスタイプ×２００+Remote_Control_Key_ID×１０+サービス番号+1
によって割り当てる。
【００２３】
また、同じ値のRemote_Control_Key_IDを持つ複数の周波数チャネルを受信可能な場合には、チャネルスキャン処理において各編成チャネルの３桁チャネル番号に、各編成チャネルが含まれる周波数チャネル毎に異なる枝番を付加する。枝番は、復調部３から通知される受信信号の受信品質の良好な順に０、１、２、..の順に与える。
【００２４】
次に、制御部７は、このような所定時間間隔毎に行うチャネルスキャン処理が終了する度に、チャネルプリセット処理において、各編成チャネルの３桁チャネル番号の枝番を変更する。このチャネルプリセット処理の詳細については後述する。
さて、このような構成において、制御部７は、リモートコントローラ９の１２キーの１から１２の番号キーのいずれかが操作されたならば次の処理を行う。
すなわち、操作された番号キーが、現在受信中の編成チャネルの３桁チャネル番号が登録されているプリセットテーブルのエントリのリモートコントロール番号と異なる場合には、プリセットテーブルの操作された番号キーのリモートコントロール番号のエントリに登録されている３桁チャネル番号の下１桁が１の編成チャネルのうちの、枝番が０の編成チャネルを受信対象編成チャネルとする。ただし、この際、枝番無しは枝番０と等しいものとして取り扱う。
【００２５】
一方、操作された番号キーが、現在受信中の編成チャネルの３桁チャネル番号が登録されているプリセットテーブルのエントリのリモートコントロール番号と等しく、当該エントリに複数の放送局が登録されている場合には、プリセットテーブルの操作された番号キーのリモートコントロール番号のエントリに登録されている３桁チャネル番号の下１桁が１で、現在受信中の編成チャネルの３桁チャネル番号の枝番の次に大きな枝番が付加された３桁チャネル番号を持つ編成チャネルを受信対象編成チャネルとする。ただし、現在受信中の編成チャネルの３桁チャネル番号の枝番が最大の枝番の場合には、プリセットテーブルの操作された番号キーのリモートコントロール番号のエントリに登録されている３桁チャネル番号の下１桁が１の編成チャネルのうちの、枝番が０の編成チャネルを受信対象編成チャネルとするようにする。なお、この際も、枝番無しは枝番０と等しいものとして取り扱う。
【００２６】
また、この他、制御部７は、リモートコントローラ９の１２キーの他に設けたサブチャネル選択キーの操作に応じて、下１桁が１でない３桁チャネル番号の編成チャネルを受信対象編成チャネルとする処理なども行う。
そして、制御部７は、受信対象編成チャネルの編成チャネルアクセス情報に基づいて、フロントエンド部２、復調部３、ＭＰＥＧデコーダ４を制御し、受信対象編成チャネルの周波数チャネルの受信と、受信対象編成チャネルの復調、デコード及び表示装置５、音声出力装置６への出力を行わせる。
【００２７】
さて、次に、制御部７は、このようにユーザ操作に応じて編成チャネルの受信を制御すると共に、ユーザの、放送局の系列（番組供給系列/ネットワーク）毎、各放送局毎の視聴時間を、リモートコントロール番号との関係において管理する。
すなわち、メモリ８に、図２ｂに示すような、放送局の系列毎のエントリである系列エントリを有する視聴時間管理テーブルを設ける。そして、各系列エントリには、当該系列エントリの系列内の放送局に割り当てられたリモートコントロール番号毎のエントリを番号エントリとして設ける。そして、各番号エントリには、当該番号エントリが含まれる系列エントリの系列内の放送局であって当該番号エントリのリモートコントロール番号が割り当てられた放送局毎のエントリを放送局エントリとして設ける。
【００２８】
そして、放送局エントリには、当該放送局エントリが含まれる番号エントリのリモートコントロール番号が割り当てられた状態で当該放送エントリの放送局の編成チャネルを出力した期間を放送局別視聴時間として登録する。また、番号エントリには、当該番号エントリに含まれる各放送局エントリに登録された放送局別視聴時間の合計を番号別視聴時間として登録する。また、系列エントリには、当該系列エントリに含まれる各番号エントリに登録された番号別視聴時間の合計を視聴時間として登録する。
【００２９】
すなわち、制御部７は、ある編成チャネルを受信対象編成チャネルとに設定し当該編成チャネルの出力を開始したならば、計時を開始し、当該編成チャネルの出力を終了したならば、それまでに計時した時間を、視聴時間管理テーブルの、出力していた編成チャネルの放送局の放送局エントリの放送局別視聴時間と、当該放送局エントリが含まれる番号エントリの番号別視聴時間と、当該放送局エントリが含まれる系列エントリの視聴時間とに加算する。
【００３０】
なお、各放送局が属する系列は、BITの系列IDとして、当該放送局の周波数チャネルより取得することができる。または、予め、各放送局と系列との対応をメモリ８に登録しておくようにしてもよい。
さて、以下、上述したチャネルプリセット処理について説明する。
図３に、このチャネルプリセット処理の手順を示す。
図示するように、この処理において制御部７は、前述したチャネルサーチ処理の終了を監視し（ステップ３０２）、チャネルサーチ処理の終了が発生したならば、プリセットテーブルの各リモートコントロール番号（図では「ＲＣＮ」と略記）のエントリに対して（ステップ３０４、３１０、３１２）、以下の処理を行う。
【００３１】
すなわち、そのリモートコントロール番号のエントリに登録されている各編成チャネルの３桁チャネル番号に枝番が付加されているかどうかを調べ（ステップ３０６）、付加されていなければ、このエントリについての処理を終了する。
一方、３桁チャネル番号に枝番が付加されている場合には、そのリモートコントロール番号のエントリに登録されている各放送局の視聴時間を視聴時間管理テーブルの放送局別視聴時間より調べ、視聴時間がより大きい放送局の編成チャネルほど、枝番がより小さくなるように、各放送局の編成チャネルの３桁チャネル番号の枝番を変更し（ステップ３０８）、このエントリについての処理を終了する。
【００３２】
そして、以上のようにプリセットテーブルの各リモートコントロール番号のエントリ全てについての処理が終了したならば、ステップ３０２に戻り、次のチャネルサーチの完了を待つ。
以上、本発明の実施形態について説明した。
以上のように本実施形態によれば、複数の放送を同じリモートコントロール番号に割り当てた場合において、当該リモートコントロール番号の番号キーが操作されたときに、ユーザの視聴に供する放送として、当該リモートコントロール番号に割り当てられた複数の放送のうちで、ユーザが最も頻繁に視聴している放送局の放送を、ユーザの視聴に供する放送として選定する。ここで、ユーザが最も頻繁に視聴している放送局の放送は、その放送内容がユーザの嗜好に合致している蓋然性が大きいので、本放送受信機によればユーザの視聴に供する放送として、ユーザの嗜好に合致する蓋然性の大きい放送を選定することができる。
【００３３】
ところで、以上の実施形態におけるチャネルプリセット処理のステップ３０８は、次のように行うようにしてもよい。すなわち、プリセットテーブルのリモートコントロール番号iのエントリに登録されている各放送局が属する系列の視聴時間を視聴時間管理テーブルの各系列エントリの視聴時間より調べ、視聴時間がより大きい系列の放送局の編成チャネルほど、枝番がより小さくなるように、各放送局の編成チャネルの３桁チャネル番号の枝番を変更するようにしてもよい。
【００３４】
ここで、同じ系列の放送局の放送内容は番組の同一性が高いので、このようにしても、ユーザの視聴に供する放送として、ユーザの嗜好に合致する蓋然性の大きい放送を選定することができる。
または、このチャネルプリセット処理のステップ３０８は、次のように行うようにしてもよい。すなわち、プリセットテーブルの、リモートコントロール番号iのエントリに登録されている各放送局が属する各系列について、その系列内の放送局であって、そのリモートコントロール番号iが割り当てられる放送局の視聴時間の合計を、視聴時間管理テーブルの当該系列の系列エントリの当該リモートコントロール番号iの番号エントリの番号別視聴時間より求め、求めた番号別視聴時間がより大きい系列の放送局の編成チャネルほど、枝番がより小さくなるように、各放送局の編成チャネルの３桁チャネル番号の枝番を変更するようにしてもよい。
【００３５】
このようにすることにより、ユーザの視聴に供する放送として、ユーザの嗜好に合致する蓋然性の大きい放送を選定するようにしつつ、同じ系列の放送局の相互に異なるリモートコントロール番号に割り当てられる複数の放送を受信できる場合に、それぞれのリモートコントロール番号の番号キーの操作に対して、同じ番組提供系列の放送が重複して選定されてしまうことを抑制することができる。
【００３６】
また、以上の実施形態において、図３に示したチャネルプリセット処理は次のように行うようにしてもよい。
すなわち、制御部７において、スポーツ、映画といった番組種別毎の視聴時間を、図２ｃに示すような視聴時間管理テーブルを用いて管理する。
すなわち、制御部７は、編成チャネルの出力中、出力中の編成チャネルの番組の変化と各番組の番組種別を監視し、番組が変化する度に、変化前の番組を視聴した時間を、視聴時間管理テーブルの変化前の番組の番組種別のエントリの視聴時間に加算する。ここで、各編成チャネルで放送中の番組の番組種別や、当該放送によってＳＩの形式で、または、他の形式で提供されるＥＰＧ情報等を用いて識別することができる。
そして、チャネルプリセット処理を次のように行う。
すなわち、この処理において、制御部７は、前述したチャネルサーチ処理の終了を監視し（ステップ４０２）、チャネルサーチ処理の終了が発生したならば、プリセットテーブルの各リモートコントロール番号のエントリに対して（ステップ４０４、４１０、４１２）、以下の処理を行う。
【００３７】
すなわち、プリセットテーブルの、そのリモートコントロール番号（ＲＣＮ）のエントリに登録されている各編成チャネルの３桁チャネル番号に枝番が付加されているかどうかを調べ（ステップ４０６）、付加されていなければ、このエントリについての処理を終了する。
一方、３桁チャネル番号に枝番が付加されている場合には、プリセットテーブルの、そのリモートコントロール番号（ＲＣＮ）のエントリに登録されている各放送局について、当該放送局のサービス番号０の編成チャネルで放送中の番組の番組種別を識別すると共に、視聴時間管理テーブルより識別した番組種別の視聴時間を取得する。そして、取得した視聴時間がより大きな放送局の編成チャネルほど、枝番がより小さくなるように、各放送局の編成チャネルの３桁チャネル番号の枝番を変更し（ステップ４０８）、このエントリについての処理を終了する。
【００３８】
そして、以上のようにプリセットテーブルの各リモートコントロール番号のエントリ全てについての処理が終了したならば、所定のタイムアウト時間（たとえば、３分）を持つタイマを設定し（ステップ４１４）、チャネルサーチ処理の終了の発生と（ステップ４１６）、タイマのタイムアウトの発生を（ステップ４１８）監視し、いずれかが発生したならば、ステップ４０４からの処理を繰り返す。
【００３９】
このようなチャネルプリセット処理によれば、複数の放送を同じリモートコントロール番号に割り当てた場合において、当該リモートコントロール番号の番号キーが操作されたときに、ユーザの視聴に供する放送として、当該リモートコントロール番号に割り当てられた複数の放送のうちで、ユーザが最も頻繁に視聴している番組種別の番組を放送中の放送を、ユーザの視聴に供する放送として選定する。したがって、ユーザの視聴に供する放送として、ユーザの嗜好に合致する蓋然性の大きい放送を選定することができる。
【００４０】
なお、以上の実施形態で示した視聴時間管理テーブルで管理する視聴時間は、過去一定期間内における、放送の視聴時間とするようにしてもよい。
【図面の簡単な説明】
【００４１】
【図１】本発明の実施形態に係る放送受信機の構成を示すブロック図である。
【図２】本発明の実施形態に係る放送受信機において用いるプリセットテーブルと視聴時間管理テーブルを示す図である。
【図３】本発明の実施形態に係る放送受信機が行うチャネルプリセット処理を示すフローチャートである。
【図４】本発明の実施形態に係る放送受信機が行うチャネルプリセット処理の他の例を示すフローチャートである。
【符号の説明】
【００４２】
１…アンテナ、２…フロントエンド部、３…復調部、４…ＭＰＥＧデコーダ、５…表示装置、６…音声出力装置、７…制御部、８…メモリ、９…リモートコントローラ。
【図１】
2009071660.tif 000003
【図２】
2009071660.tif 000004
【図３】
2009071660.tif 000005
【図４】
2009071660.tif 000006